(57)【要約】      （修正有）【課題】体や頭部に巻き付けてもずれることがない、伸縮性に優れたタオルを提供する。【解決手段】経編み機で鎖状に編む糸と緯挿入糸の鎖状結節点に高収縮糸を跳び編成を行うことで表面に凹凸を形成しながら、パイル編みで基布を編成すると共に、別筬でゴム状弾性糸を所定間隔で編みこんでタオルの幅方向に蛇腹状に大きく伸縮させる。【選択図】図２
0003180816.tif 000002
【実用新案登録請求の範囲】
【請求項１】
経編み機で鎖編み糸及び当該鎖編み糸を繋ぐ挿入糸からなる経編みパイル組織を編成し、
収縮弾性糸を当該地組織の鎖状結節点を緯度、経度とも一つ以上跳び編成しながら挿入して基布表面に凹凸を形成すると共に、
別筬で弾性糸を挿入して横方向に蛇腹状に伸縮することを特徴とする経編みタオル。
【考案の詳細な説明】
【技術分野】
【０００１】
本考案は、伸縮性に富むタオルに関するものである。より詳しくは風呂上がりや洗髪後に体や頭部に巻きつけて付着した水分を拭き取るタオルに関する考案である。
【背景技術】
【０００２】
筒状に編成すると共に弾性糸を挿入することで、使用者の体回りのサイズに合わせて伸縮するように形成したバスタオルの発明や（特許文献１、特許文献２）、頭部形状に合わせたタオルキャップ（特許文献３）や略三角形状に形成された頭髪巻き付けタオルの考案がある（特許文献４）。
【先行技術文献】
【特許文献】
【０００３】
【特許文献１】特開２００４−９７３０７号公報
【特許文献２】特開２０１０−１６７２７３号公報
【特許文献３】実用新案登録番号第３１５１５８５号公報
【特許文献４】実用新案登録番号第３０２９９０３号公報
【考案の概要】
【考案が解決しようとする課題】
【０００４】
湯上り後に、体や頭部にバスタオルやタオルを巻き付けて過ごすことがあるが、タオルに用いられる吸水性に富む繊維には一般的に弾力性がないため、タオルが伸縮することはない。
【０００５】
これらの伸縮性のないタオルの摩擦力のみではタオルを安定的に維持できずに容易に体や頭部から外れる。特に髪の毛が長く多い女性には困難であった。
緩んでくるタオルを何度も巻き付けなおすことは面倒であり、外れないようにきつく巻き付けると居心地が悪い。
【０００６】
一方、ずれを防ぐためにボタンや紐などの留め具を取り付けたタオルがあるが、製造に手間がかかりコストアップにつながる。また、いちいち留め具を止めたりしなければならず面倒である。
【０００７】
このような不都合を解消するために、特許文献１のタオルは筒状に編成され且つ、全体にわたって弾性糸が挿入されて体回りに対応して伸縮自在に形成されており、特許文献３では筒状の二重パイル生地がキャップ形状に形成されている。
【０００８】
特許文献２記載のタオルも筒状に形成されると共に、周方向に伸縮する弾性糸が蛇腹状に配されている。
【０００９】
これらのタオルは伸縮性を有するため体や頭部に装着してもずれが生じにくくなっているが、筒状に編成されているため分厚く、洗濯、乾燥が容易ではない。
【００１０】
また、特許文献４記載の頭髪巻き付けタオルはあらかじめ頭部に沿うように略三角形状に形成され、所定個所にゴム等の弾性部材を配して伸縮性を持たせ且つ、巻き付け後のタオル端部を挿入する出入り口が設けられている。
【００１１】
このようにタオルをターバン状、帽子状に製作することは面倒でコスト高につながり、
装着には手間がかかる。
【００１２】
そこで、本願では、通常のタオル形状でありながら、体や頭部に巻き付けてもソフトにジャストフィットしてずれることのない伸縮性に優れたタオルを提供することを目的とする。
【課題を解決するための手段】
【００１３】
経編み機で鎖状に編む糸と緯挿入糸の鎖状結節点に高収縮糸を跳び編成を行うことで表面に凹凸を形成しながらパイル編みで基布を編成すると共に、別筬でゴム状弾性糸を所定間隔で編みこんでタオルの幅方向に蛇腹状に大きく伸縮させるのである。
【考案の効果】
【００１４】
本願のタオルは凹凸状に編成されたオリジナルの生地を使用しているため、タオルを巻き付け重ねたときに生地同士が係止し合って滑りにくい。また、この凹凸によって形成された空気層がタオルの保温性を高めるため、風呂上がりの体や頭髪が冷えるのを抑える働きがある。
【００１５】
タオル表面の凹凸によって空気を含んで泡立ち、泡切れに優れ、皮膚の摩擦効果も有する垢すり用タオルともなる。
【００１６】
タオルとしてパイル地に編成しているため、パイル同士が絡み合って頭部に巻き付けたとき特段の係止手段がなくてもほどけにくいのである。従って、タオルの解けやずれを防止するためにきつく巻きつける必要がなく着用性に優れ、体や髪に巻き付け跡が残ることがない。
【００１７】
ゴム糸等の弾性糸を直接編みこんでタオル幅方向全体にギャザーを施しているため、タオル生地が約２倍近く伸縮する。したがって、フリーサイズでありながら体や頭部に合わせて自在に伸縮させて所望サイズに調整が容易で使い勝手が良い。また、小さく折りたためるので持ち運びに便利である。
【００１８】
頭部用に三角形状に形成したり、係止手段であるボタン、紐等を取り付ける手間がない。また、従来の経編み機を使用して全自動で機械編みするので製造コストを抑えることができる。
【図面の簡単な説明】
【００１９】
【図１】経編み機で編成された本願タオルの組織図。
【図２】本願タオルの平面図。
【考案を実施するための形態】
【００２０】
次に請求項１記載の考案の最適な実施形態について図面を参照しながら詳細に説明する。
【００２１】
図１は本願の経編み機を使用して編成したタオルの編成組織図である。
【００２２】
地組織１は、綿糸からなる鎖編糸２及びこの鎖編み糸２を繋ぐ挿入糸３でパイルを形成するように編成する。ここにポリウレタン系弾性繊維等の高収縮性弾性糸４を緯度、経度とも一定間隔以上浮かし跳び編成を行って弾性糸４の収縮によって、表面に細かい凹凸が形成されたタオルを形成するのである。
【００２３】
生地に伸縮する糸を直接編み込み、生地そのものに凹凸を付与することで、当該タオル
を体或いは頭部へ巻き付けたときに凹凸が摩擦抵抗を大きくして重ねた生地のすべりやずれを防止するのである。
【００２４】
また、タオル全体に生じた細かい凹凸によってタオルが縦方向に伸縮し肌触りが良く軽く仕上がる。
【００２５】
この実施例では綿糸に撚りの少ない無撚系の糸を使用している。通常、タオルに使用される綿糸は撚りが多く入ったものが使用され、なめらかで手触りが良好である半面、表面がつるつるしている。
【００２６】
一方、無撚系の糸は肌触りはやさしいが、撚りがないため接触抵抗が大きくなるのである。
【００２７】
本願ではさらにタオル素材としてパイル編みにしているため、バスタオルに編成して体に巻き付けたときや、通常のタオルサイズに形成して洗髪後の頭部にターバン風に巻き付けたときでも、糸同士の摩擦に加えてパイル同士も絡み合って、これらの相乗効果によって巻き付いた状態を維持できるのである。
【００２８】
また、無撚糸は撚りが少ない分、湿気、水分の拡散吸水性及び乾燥性に優れているため、湯上りやプール後の体や髪の水分を素早く吸収しさらに洗濯後の乾燥時間も短いのである。
【００２９】
なお、無撚糸の表面を水分拡散性を有するポリエステルでカバーすると、糸の毛羽落ちを防止できるが、本願のタオルに使用する糸の種類は、実施形態に掲げた糸に限定されるものではなく、タオルの素材として一般的な吸水性を有する糸であれば利用可能である。高収縮弾性糸４を導くガイドの間隔を調整することで表面の凹凸の高さを変化させてタオルの厚みを調整することができる。
【００３０】
さらに別筬を使用して地組織編成と同時にゴム糸を導糸し、タオル地に伸長性を付与するのである。ゴム糸挿入本数、間隔はタオルの大きさによって随時変更可能である。
出来上がったタオル６は通常の状態でゴム糸５の収縮によって蛇腹状に収縮した立体的形状を呈しているが、約２倍程度幅方向に良く延びるため体や頭部形状に合わせて容易に巻きつけることがでるのである。
【００３１】
さらに、摩擦抵抗の高い糸及びタオル生地表面の凹凸の相乗効果によってタオルが遊動するのを防いでほどけにくくなるのである。
【００３２】
有効幅が約３ｍの経編み機を使用するため、一般的なバスタオル、フェースタオル等、種々のサイズのタオルの製造が可能である。また、赤ちゃんの湯上りに使用するような正方形のおくるみ状タオルから、夏季に使用するタオルケットまで幅広いサイズや種類のタオルに応用することができる。
【産業上の利用可能性】
【００３３】
本願はバスタオルや通常サイズのタオルに利用できる。伸縮性に優れているため、湯上り後等の体や頭部に巻き付けて使用するタオルとして利用価値が高い。経編み機を使用して編成されるため狭い幅の製品から最大幅３ｍの連続製品として生産できるため、タオルケット等の寝具にも応用ができる。
【符号の説明】
【００３４】
１、編成組織    ２、鎖編み糸
３、挿入糸    ４、高伸縮糸
５、ゴム糸    ６、タオル  
【図１】
0003180816.tif 000003
【図２】
0003180816.tif 000004